(57)【要約】【課題】  洗眼を行う場合は洗眼器を取り付け、歯を磨く場合は歯ブラシを取り付けるようにするとともに、洗眼器及び歯ブラシの着脱を容易にした歯ブラシ付き携帯用洗眼器を提供することを目的とする。【解決手段】  モーター１０を収容した本体１と、前記本体と着脱可能な洗眼器３０または歯ブラシ６０と、前記モーターと洗眼器または歯ブラシとの間に介在した伝達部材２とを備え、前記モーターと該モーターで回転される偏心部材５３とで振動発生装置を構成し、前記本体に前記洗眼器または歯ブラシのいずれかを選択的に取り付けるようにした。伝達部材は凹凸係合する接手５、２０、７１であって、前記本体に前記洗眼器または歯ブラシを取り付けたとき、凹凸係合する。【選択図】  図１
2005131342.tif 000002
【特許請求の範囲】
【請求項１】
モーターを収容した本体と、前記本体と着脱可能な洗眼器または歯ブラシと、前記モーターと洗眼器または歯ブラシとの間に介在した伝達部材とを備え、前記モーターと該モーターで回転される偏心部材とで振動発生装置を構成し、前記本体に前記洗眼器または歯ブラシのいずれかを選択的に取り付けるようにしたことを特徴とする、歯ブラシ付き携帯用洗眼器。
【請求項２】
請求項１に記載する歯ブラシ付き携帯用洗眼器において、前記伝達部材は凹凸係合する接手であって、前記本体に前記洗眼器または歯ブラシを取り付けたとき、凹凸係合するようにした、歯ブラシ付き携帯用洗眼器。
【発明の詳細な説明】
【技術分野】
【０００１】  本発明は、洗眼器あるいは歯ブラシのいずれかを装着可能にした歯ブラシ付き携帯用洗眼器に関する。
【背景技術】
【０００２】  これまで、携帯用洗眼器や、電動歯ブラシはあった（例えば特許文献１、２、３参照）。
【特許文献１】  登録実用新案第３０３９０１５号公報
【特許文献２】  特開２０００−４２０８１号公報
【特許文献３】  特開２００３−２６００７１号公報
【発明の開示】
【発明が解決しようとする課題】
【０００３】  しかしながら、電動歯ブラシは歯を磨くことを目的とし、また携帯用洗眼器は目を洗うことを目的とするもので、それ以外の用途に使用することはできない。【０００４】  本発明は、洗眼を行う場合は洗眼器を取り付け、歯を磨く場合は歯ブラシを取り付けるようにした歯ブラシ付き携帯用洗眼器を提供することを目的とするもので、さらに洗眼器及び歯ブラシの着脱を容易にした歯ブラシ付き携帯用洗眼器を提供することを目的とする。
【課題を解決するための手段】
【０００５】  上記のような目的を達成するために、本発明の歯ブラシ付き携帯用洗眼器は、モーターを収容した本体と、前記本体と着脱可能な洗眼器または歯ブラシと、前記モーターと洗眼器または歯ブラシとの間に介在した伝達部材とを備え、前記モーターと該モーターで回転される偏心部材とで振動発生装置を構成し、前記本体に前記洗眼器または歯ブラシのいずれかを選択的に取り付けるようにしたことを特徴とするものである。
ここで前記伝達部材は凹凸係合する接手であって、前記本体に前記洗眼器または歯ブラシを取り付けたとき、凹凸係合するものである。【０００６】  上記課題解決手段による作用は、次のとおりである。
モーターを収容した本体と、この本体に着脱可能な洗眼器または歯ブラシを備えているので、本体に洗眼器または歯ブラシのいずれかを選択的に取り付けることができる。
またモーターと、洗眼器または歯ブラシとの間に伝達部材を介在するとともに、モーターとこのモーターで回転される偏心部材が振動発生装置を構成しているので、モーターを駆動するだけで簡単に洗眼または歯を磨くことができる。
さらに伝達部材は、互いに凹凸係合する接手なので、洗眼器または歯ブラシを本体に差し込むだけで簡単に装着することができる。
【発明の効果】
【０００７】  本発明は、以上説明したようになるから次のような効果を得ることができる。
＜イ＞洗眼を行う場合は洗眼器を取り付け、歯を磨く場合は歯ブラシを取り付けることを可能にした歯ブラシ付き携帯用洗眼器を提供することができる。
＜ロ＞洗眼器または歯ブラシを本体に差し込む、あるいは引き抜くだけの簡単な操作で着脱することができ、洗眼器または歯ブラシの着脱を容易にした歯ブラシ付き携帯用洗眼器を提供することができる。
【発明を実施するための最良の形態】
【０００８】  以下、図面を参照しながら、本発明に係る実施の形態について説明する。
図１は携帯用洗眼器の一部を示す断面図で、図２は伝達部材及び振動発生装置を分解して示す斜視図である。図３は携帯用洗眼器の外観図で、図４は電動歯ブラシの外観図である。図５は電動歯ブラシの一部を示す断面図で、図６はヘッド部を分解して示す斜視図である。【０００９】＜イ＞本体（図１、図３、図４）
本体１は、手で把持しやすい形状、寸法であり、樹脂などで筒状に形成する。
本体１の内側に電池（図示せず）、モーター１０、伝達部材２などを収容し、外側にモーター１０をオンオフするスイッチ１２を設けている。
電気配線は、例えばモーター１０、電池、スイッチ１２を直列に接続した簡単なものでよい。
本体１の上部に、洗眼器３０または歯ブラシ６０が装着される。
洗眼器３０を装着した場合は携帯用洗眼器３となり、歯ブラシ６０を装着した場合は電動歯ブラシ６となる。
以下、携帯用洗眼器３の場合について説明する。【００１０】＜ロ＞洗眼器（図１）
洗眼器３０は、カップ状容器３１と接続部材４とからなる。
カップ状容器３１は上方へ向けて大きく開口し、上端縁が傾斜または湾曲している。カップ状容器３１は、顔面に押し当てたときに密着するように弾力性樹脂などで構成するのが好ましい。
洗浄液（洗眼液）の量を測定できるようにカップ状容器３１に目盛りを付けてもよい。
接続部材４はカップ状容器３１を本体１に接続するもので、上部材４０と下部材４１とからなる。上部材４０と下部材４１を組み立てたときに中空部４４が形成され、中空部４４と孔４３に後述する伝達部材２及び振動発生装置が設けられる。
上部材４０の凸部４２をカップ状容器３１の凹部３２に押し込んで洗眼器３０を構成する。【００１１】＜ハ＞伝達部材
伝達部材２はモーター１０の回転を接続部材４へ伝達するもので、本体１と洗眼器３０の間に設けられる。
伝達部材２は、例えば凹凸係合する接手であって、本体１に洗眼器３０を取り付けたとき、凹凸係合する。
本例では、図１及び図２から分かるようにモーター軸１１に十字状の凹部を形成したメス接手２０を取り付け、接続部材４にこれと凹凸係合する十字状の凸部を形成したオス接手５を設けているが、逆にしてもよく、また十字状に限らず多角形状としてもよい。
伝達部材２を設けたことで、洗眼器３０は本体１に着脱自在である。【００１２】＜ニ＞振動発生装置
接続部材４にオス接手５を回転自在に軸支し、オス接手５の一端に偏心分銅５３を取り付ける。オス接手５はモーター軸１１のメス接手２０と凹凸係合しているので、モーター１０が回転するとオス接手５とともに偏心分銅５３も回転し、その遠心力で接続部材４が振動することになる。
このためモーター１０と、このモーター１０で回転される偏心分銅５３は振動発生装置を構成する。
接続部材４にはカップ状容器３１が取り付けられており、中の洗浄液が振動して目を洗うことができる。
図ではオス接手５の穴５０に回転軸５１を押し込んで結合し、回転軸５１を軸受５２で回転自在に支持するとともに偏心分銅５３を取り付けているが（図２参照）、オス接手５と回転軸５１を一体物で構成してもよい。【００１３】＜ホ＞歯ブラシ（図４、図５）
歯ブラシ６０は、細長く筒状に形成された腕７と、先端にブラシ８０をリング状に植毛したヘッド８とからなる。
電動歯ブラシ６は、例えばブラシ８０を回転または揺動させて円周状に磨くタイプであって、ヘッド８が中心軸８２の周りで回転可能となっている。
腕７の内側に軸７０を回転可能に取り付ける。軸７０の後端には携帯用洗眼器３の場合と同様に、十字状のオス接手７１を形成し、モーター軸１１のメス接手２０と凹凸係合して伝達部材２を構成する（図５）。【００１４】＜ヘ＞振動発生装置
軸７０の段部７２（ヘッド８側）に、伝達ピン７３をモーター軸１１に対し偏心して取り付ける。
ヘッド８の端面には、中心軸８２と平行に二股状突起８１を設け、二股状突起８１が伝達ピン７３を挟むように係合する（図６参照）。軸７０が回転することによって伝達ピン７３の偏心量だけ二股状突起８１を介してヘッド８が中心軸８２の周りに高速で揺動する。
このため、モーター１０と、このモーター１０で回転される伝達ピン７３は、ヘッド８の振動発生装置を構成する。【００１５】＜ホ＞作用
携帯用洗眼器３として使用する場合は、上部材４０の凸部４２をカップ状容器３１の凹部３２に押し込み、オス接手５とメス接手２０を凹凸係合させながら本体１に装着する（図１、図３）。
次いでカップ状容器３１内に洗浄液を注ぎ入れ、カップ状容器３１の上端縁に目の周囲を押し当てて密着させる。
この状態で、スイッチ１２を操作してモーター１０を回転させると、伝達部材２を介して偏心分銅５３が回転する。偏心分銅５３は回転軸５１に対し偏心状態で取り付けられているので、モーター１０の高速回転に伴い、接続部材４とともにカップ状容器３１が振動する。カップ状容器３１内の洗浄液が振動し、目を洗うことができる。
洗眼を終了するときは、スイッチ１２を操作して、モーター１０の回転を停止すればよい。
電動歯ブラシ６として使用する場合は、洗眼器３０を本体１から引き抜き、歯ブラシ６０のオス接手７１をモーター軸１１のメス接手２０に凹凸係合させて装着する（図４、図５）。
携帯用洗眼器３の場合と同様に、スイッチ１２を操作してモーター１０を回転させると、モーター軸１１に対し偏心状態となっている伝達ピン７３が回転し、これと係合する二股状突起８１を介してヘッド８が高速で揺動する。したがってヘッド８とともにブラシ８０が振動し、歯を磨くことができる。
本発明では、互いに凹凸係合する接手５、２０、７１を用いているので、洗眼器３０または歯ブラシ６０を本体１に差し込むだけで簡単に装着することができる。
【図面の簡単な説明】
【００１６】
【図１】携帯用洗眼器の一部を示す断面図。
【図２】伝達部材及び振動発生装置を分解して示す斜視図。
【図３】携帯用洗眼器の外観図。
【図４】歯ブラシを取り付けた外観図。
【図５】携帯用歯ブラシの一部を示す断面図。
【図６】ヘッド部を分解して示す斜視図。
【符号の説明】
【００１７】１・・・・本体
２・・・・伝達部材
２０・・・メス接手
３・・・・携帯用洗眼器
３０・・・洗眼器
３１・・・カップ状容器
４・・・・接続部材
４０・・・上部材
４１・・・下部材
４４・・・中空部
５・・・・オス接手
５３・・・偏心分銅
６・・・・電動歯ブラシ
６０・・・歯ブラシ
７・・・・腕
７１・・・オス接手
７３・・・伝達ピン
８・・・・ヘッド
８０・・・ブラシ
８１・・・二股状突起
【図１】
2005131342.tif 000003
【図２】
2005131342.tif 000004
【図３】
2005131342.tif 000005
【図４】
2005131342.tif 000006
【図５】
2005131342.tif 000007
【図６】
2005131342.tif 000008